(57)【特許請求の範囲】
【請求項１】
物体側より像側へ順に、正の屈折力の第１レンズ群、負の屈折力の第２レンズ群、複数のレンズ群を含む後群を有し、ズーミングに際して各レンズ群の相互間隔が変化するズームレンズにおいて、
前記第１レンズ群は、負レンズ、光学素子、正レンズから構成されており、前記光学素子の材料のアッベ数と、部分分散比を各々νｎ、θｇＦ、前記負レンズの焦点距離と材料のアッベ数を各々ｆ１ｎ、ν１ｎ、前記第１レンズ群の焦点距離をｆ１、前記後群の広角端と望遠端における横倍率を各々β３ｉｗ、β３ｉｔとするとき
０．７５５＜θｇＦ−（−１．６６５×１０−７・νｎ３＋５．２１３×１０−５・νｎ２−５．６５６×１０−３・νｎ）＜１．０１１
０．０２３＜｜ｆ１／（ｆ１ｎ・ν１ｎ）｜＜０．０５０
３．２＜β３ｉｔ／β３ｉｗ＜６．０
なる条件を満足することを特徴とするズームレンズ。
【請求項２】
前記光学素子の焦点距離をｆＮ、全系の広角端および望遠端における焦点距離をそれぞれｆｗ、ｆｔとするとき、
【数１】
0005253051.tif 000008
なる条件式を満足することを特徴とする請求項１に記載のズームレンズ。
【請求項３】
前記第１レンズ群を構成する正レンズの材料の屈折率をＮ１ｐとするとき、
１．６５＜Ｎ１ｐ＜１．９０
なる条件式を満足することを特徴とする請求項１又は２に記載のズームレンズ。
【請求項４】
前記後群の広角端と望遠端における焦点距離を各々ｆ３ｉｗ、ｆ３ｉｔ、全系の広角端と望遠端における焦点距離を各々ｆｗ、ｆｔとし、
【数２】
0005253051.tif 000009
とおくとき、
【数３】
0005253051.tif 000010
なる条件式を満足することを特徴とする請求項１、２又は３に記載のズームレンズ。
【請求項５】
前記第１レンズ群の焦点距離をｆ１、前記第１レンズ群に含まれる負レンズの焦点距離をｆ１ｎとするとき、
０．５＜｜ｆ１／ｆ１ｎ｜＜１．０
なる条件式を満足することを特徴とする請求項１乃至４のいずれか１項に記載のズームレンズ。
【請求項６】
前記第１レンズ群に含まれる負レンズの物体側の面の曲率半径をｒ１、像側の面の曲率半径をｒ２とするとき、
−１＜（ｒ１＋ｒ２）／（ｒ１−ｒ２）＜７
なる条件式を満足することを特徴とする請求項１乃至５のいずれか１項に記載のズームレンズ。
【請求項７】
前記光学素子の光軸上の厚みをｔ、前記第１レンズ群の第１レンズ面から第１レンズ群の最終レンズ面までの長さをＬとするとき、
０．０１＜ｔ／Ｌ＜０．２０
なる条件式を満足することを特徴とする請求項１乃至６のいずれか１項に記載のズームレンズ。
【請求項８】
前記後群は、物体側から像側へ順に、正の屈折力の第３レンズ群と、正の屈折力の第４レンズ群より構成されることを特徴とする請求項１乃至７のいずれか１項のズームレンズ。
【請求項９】
前記後群は、物体側から像側へ順に、正の屈折力の第３レンズ群と正の屈折力の第４レンズ群と正の屈折力の第５レンズ群より構成されることを特徴とする請求項１乃至７のいずれか１項のズームレンズ。
【請求項１０】
前記後群は、物体側から像側へ順に、負の屈折力の第３レンズ群と、正の屈折力の第４レンズ群と正の屈折力の第５レンズ群より構成されることを特徴とする請求項１乃至７のいずれか１項のズームレンズ。
【請求項１１】
前記後群は、物体側から像側へ順に、正の屈折力の第３レンズ群と、負の屈折力の第４レンズ群と正の屈折力の第５レンズ群より構成されることを特徴とする請求項１乃至７のいずれか１項のズームレンズ。
【請求項１２】
光電変換素子に像を形成することを特徴とする請求項１から１１のいずれか１項のズームレンズ。
【請求項１３】
請求項１から１２のいずれか１項のズームレンズと、該ズームレンズによって形成される像を受光する光電変換素子とを備えることを特徴とする撮像装置。
【発明の詳細な説明】
【技術分野】
【０００１】
本発明はズームレンズ及びそれを有する撮像装置に関し、特にデジタルカメラ、ビデオカメラ、フィルム用カメラ、放送用カメラ等の撮像装置に用いられるズームレンズに関するものである。
【背景技術】
【０００２】
最近、固体撮像素子を用いたビデオカメラ、デジタルスチルカメラ等の撮像装置（カメラ）は、固体撮像素子の高密度化に伴い、装置全体が高機能化され、又装置全体が小型化されている。そして、それに用いる撮影光学系には高倍率（高ズーム比）で、かつ全系がコンパクトなズームレンズであることが求められている。
【０００３】
高ズーム比のズームレンズとして、物体側より像側へ順に、正の屈折力の第１レンズ群と負の屈折力の第２レンズ群および１以上のレンズ群を含み全体として正の屈折力の後群を配置した、所謂ポジディブリードタイプのズームレンズが知られている。
【０００４】
また全系がコンパクトで高ズーム比のズームレンズとして、非撮影時に各レンズ群の間隔を撮影状態と異なる間隔まで縮小した所謂沈胴式を採用したズームレンズが広く知られている。
【０００５】
一般に、ズームレンズを構成する各レンズ群のレンズ枚数が多いと、各レンズ群の光軸上の長さが長くなり、沈胴長を短くするのが困難になる。レンズ群の収納時のレンズ長をコンパクトにするためには沈胴時のレンズ厚みを薄くするのが良い。このためには有効径が大きくなる第１レンズ群のレンズ構成枚数を少なく設計することが有効である。
【０００６】
ポジティブリードタイプのズームレンズとして第１レンズ群のレンズ構成を負レンズと正レンズのみで構成したズームレンズが知られている（特許文献１〜３）。また、ポジティブリードタイプのズームレンズとして第１レンズ群のレンズの材料に異常分散材料を使用し、色収差を良好に補正したズームレンズが知られている（特許文献４）。
【特許文献１】特開２００７−０２５６４１号公報
【特許文献２】特開平１１−３０５１２６号公報
【特許文献３】特開平１１−５２２４４号公報
【特許文献４】特開２００６−３４９９４７号公報
【発明の開示】
【発明が解決しようとする課題】
【０００７】
一般にズームレンズ全体を小型にするためには、ズームレンズを構成する各レンズ群の屈折力を強めつつ、各レンズ群のレンズ枚数を削減すれば良い。
【０００８】
しかしながら、このようにしたズームレンズは、各面の屈折力の増加に伴いレンズ肉厚が増してしまい、レンズ系全体の短縮効果が不十分になると同時に諸収差の補正が困難になってくる。
【０００９】
特に各レンズ群のレンズ枚数を削減した場合、球面収差やコマ収差といった単色の結像性能に関わる収差の補正が困難となる。
【００１０】
さらには、使用できる硝材範囲が限られるために色収差を補正するのが困難となる。一般に全系のコンパクト化と高画質化を両立させる事は相反し、これらを満足することは困難である。
【００１１】
特許文献１では、ポジティブリードタイプのズームレンズで第１レンズ群のレンズ枚数を少なくしつつ、第１レンズ群中の正レンズで発生する収差量が少なくなるように、第１レンズ群を屈折率が高いガラス材より成るレンズで構成している。
【００１２】
しかしながら第１レンズ群のレンズの材料に高屈折率材を使用すると、高ズーム比になるに従って望遠端付近の領域において色収差が多く発生し、このときの色収差を良好に補正するのが難しくなる。
【００１３】
特許文献２、３では第１レンズ群に回折光学素子を用いて色収差を良好に補正した高ズーム比のズームレンズを開示している。
【００１４】
しかしながら一般に回折光学素子は製造が難しい。
【００１５】
特許文献４では異常分散性を有する光学素子を使い、色収差を良好に補正した高性能のズームレンズを開示している。
【００１６】
特許文献４では第１レンズ群が負レンズ、光学素子、正レンズ、正レンズより成っている。第１レンズ群が３枚のレンズを有するため、収納沈胴時のレンズ長が長くなる傾向がある。
【００１７】
前述したポジティブリードタイプのズームレンズにおいて、高ズーム比とレンズ系全体の小型化（特に収納沈胴式の小型化）を図りつつ、良好な光学性能を得るにはズーミングの際に移動する第１レンズ群のレンズ構成を適切に設定することが重要になってくる。
【００１８】
第１レンズ群のレンズ構成が適切でないと、全系を小型にしつつ、高ズーム比で全ズーム範囲で高い光学性能を得るのが大変困難になってくる。
【００１９】
本発明は適切なる分散特性の光学素子を光路中の適切なる位置に配置することによって、色収差を良好に補正し、良好なる光学性能を有し、収納沈胴時のレンズ全長が短いズームレンズ及びそれを用いた撮像装置の提供を目的とする。
【課題を解決するための手段】
【００２０】
本発明のズームレンズは、物体側より像側へ順に、正の屈折力の第１レンズ群、負の屈折力の第２レンズ群、複数のレンズ群を含む後群を有し、ズーミングに際して各レンズ群の相互間隔が変化するズームレンズにおいて、
前記第１レンズ群は、負レンズ、光学素子、正レンズから構成されており、前記光学素子の材料のアッベ数と、部分分散比を各々νｎ、θｇＦ、前記負レンズの焦点距離と材料のアッベ数を各々ｆ１ｎ、ν１ｎ、前記第１レンズ群の焦点距離をｆ１、前記後群の広角端と望遠端における横倍率を各々β３ｉｗ、β３ｉｔとするとき
０．７５５＜θｇＦ−（−１．６６５×１０−７・νｎ３＋５．２１３×１０−５・νｎ２−５．６５６×１０−３・νｎ）＜１．０１１
０．０２３＜｜ｆ１／（ｆ１ｎ・ν１ｎ）｜＜０．０５０
３．２＜β３ｉｔ／β３ｉｗ＜６．０
なる条件を満足することを特徴としている。
【発明の効果】
【００２１】
本発明によれば、色収差を良好に補正し良好なる光学性能を有した収納沈胴時のレンズ全長の短いズームレンズ及びそれを用いた撮像装置が得られる。
【発明を実施するための最良の形態】
【００２２】
以下、本発明のズームレンズ及びそれを有する撮像装置の実施例について説明する。
【００２３】
本発明のズームレンズは、物体側より像側へ順に、正の屈折力の第１レンズ群、負の屈折力の第２レンズ群、複数のレンズ群を含む後群を有し、ズーミングに際して各レンズ群の相互間隔が変化するズームレンズである。
【００２４】
図１は実施例１のズームレンズの広角端（短焦点距離端）におけるレンズ断面図である。図２、図３はそれぞれ実施例１のズームレンズの広角端、望遠端（長焦点距離端）における収差図である。
【００２５】
図４は実施例２のズームレンズの広角端におけるレンズ断面図である。図５、図６はそれぞれ実施例２のズームレンズの広角端、望遠端における収差図である。
【００２６】
図７は実施例３のズームレンズの広角端におけるレンズ断面図である。図８、図９はそれぞれ実施例３のズームレンズの広角端、望遠端における収差図である。
【００２７】
図１０は実施例４のズームレンズの広角端におけるレンズ断面図である。図１１、図１２はそれぞれ実施例４のズームレンズの広角端、望遠端における収差図である。
【００２８】
図１３は実施例５のズームレンズの広角端におけるレンズ断面図である。図１４、図１５はそれぞれ実施例５のズームレンズの広角端、望遠端における収差図である。
【００２９】
図１６は実施例６のズームレンズの広角端におけるレンズ断面図である。図１７、図１８はそれぞれ実施例６のズームレンズの広角端、望遠端における収差図である。
【００３０】
図１９は実施例７のズームレンズの広角端におけるレンズ断面図である。図２０、図２１はそれぞれ実施例７のズームレンズの広角端、望遠端における収差図である。
【００３１】
図２２は実施例８のズームレンズの広角端におけるレンズ断面図である。図２３、図２４はそれぞれ実施例８のズームレンズの広角端、望遠端における収差図である。
【００３２】
図２５は本発明のズームレンズを備えるカメラ（撮像装置）の要部概略図である。
【００３３】
各実施例のズームレンズはビデオカメラやデジタルカメラそして銀塩フィルムカメラ等の撮像装置に用いられる撮影レンズ系である。
【００３４】
レンズ断面図において、左方が被写体側（前方）で、右方が像側（後方）である。また、レンズ断面図において、ｉを物体側からのレンズ群の順番とすると、Ｌｉは第ｉレンズ群を示す。ＬＲは後群レンズ群である。ＳＰは開口絞りである。ＧＢは光学フィルター、フェースプレート、水晶ローパスフィルター、赤外カットフィルター等に相当する光学ブロックである。
【００３５】
ＩＰは像面である。像面ＩＰは、ビデオカメラやデジタルスチルカメラの撮影光学系としてズームレンズを使用する際にはＣＣＤセンサやＣＭＯＳセンサ等の固体撮像素子（光電変換素子）の撮像面に相当する。銀塩フィルム用カメラの撮影光学系としてズームレンズを使用する際には、フィルム面に相当する。
【００３６】
矢印は広角端から望遠端へのズーミングに際して各レンズ群の移動軌跡とフォーカシングの際の移動軌跡を示している。
【００３７】
収差図においてｄ，ｇは各々ｄ線及びｇ線、ΔＭ，ΔＳはメリディオナル像面，サジタル像面である。倍率色収差はｇ線によって表している。ωは半画角、ＦはＦナンバーである。
【００３８】
尚、以下の各実施例において広角端と望遠端は変倍用レンズ群が機構上光軸上を移動可能な範囲の両端に位置したときのズーム位置をいう。
【００３９】
各実施例はいずれも、物体側より像側へ順に、正の屈折力の第１レンズ群Ｌ１、負の屈折力の第２レンズ群Ｌ２、複数のレンズ群を含む後群ＬＲを有する。後群ＬＲは、全体として正の屈折力より成っている。
【００４０】
そしてズーミングに際して各レンズ群の相互間隔が変化している。
【００４１】
尚、後群ＬＲは少なくとも２つのレンズ群を有していれば良い。
【００４２】
具体的には後続レンズ群ＬＲは次の構成より成っている。
◎後群ＬＲは物体側から像側へ順に、正の屈折力の第３レンズ群と、正の屈折力の第４レンズ群より構成されている。
◎後群ＬＲは物体側から像側へ順に、正の屈折力の第３レンズ群と正の屈折力の第４レンズ群と正の屈折力の第５レンズ群より構成されている。
◎後群ＬＲは物体側から像側へ順に、負の屈折力の第３レンズ群と、正の屈折力の第４レンズ群と正の屈折力の第５レンズ群より構成されている。
◎後群ＬＲは物体側から像側へ順に、正の屈折力の第３レンズ群と、負の屈折力の第４レンズ群と正の屈折力の第５レンズ群より構成されている。
【００４３】
尚、後群ＬＲは以上の構成の他、少なくとも２つのレンズ群を有し、全体として正の屈折力より成る構成であればレンズ群の数はいくつであっても良い。
【００４４】
各実施例において第１レンズ群Ｌ１は、負レンズ、光学素子、正レンズから構成されている。
【００４５】
第１レンズ群Ｌ１中の光学素子の材料のアッベ数と、部分分散比を各々νｎ、θｇＦとする。
【００４６】
第１レンズ群Ｌ１中の負レンズの焦点距離と材料のアッベ数を各々ｆ１ｎ、ν１ｎとする。
【００４７】
第１レンズ群Ｌ１の焦点距離をｆ１とする。
【００４８】
後群ＬＲの広角端と望遠端における横倍率を各々β３ｉｗ、β３ｉｔとする。
【００４９】
このとき
０．７５５＜θｇＦ−（−１．６６５×１０−７・νｎ３＋５．２１３×１０−５・νｎ２−５．６５６×１０−３・νｎ）＜１．０１１      ‥‥‥（１）
０．０２３＜｜ｆ１／（ｆ１ｎ・ν１ｎ）｜＜０．０５０      ‥‥‥（２）
３．２＜β３ｉｔ／β３ｉｗ＜６．０                        ‥‥‥（３）
なる条件を満足している。
【００５０】
ここで波長４３６ｎｍ（ｇ線）、波長４８６ｎｍ（Ｆ線）、波長５８８ｎｍ（ｄ線）、波長６５６ｎｍ（Ｃ線）のそれぞれに対する材料の屈折率を、それぞれｎｇ，ｎＦ，ｎｄ，ｎＣとするとき、アッベ数νｄと部分分散比θｇＦは次のとおりである。
νｄ＝（ｎｄ−１）／（ｎＦ−ｎＣ）
θｇＦ＝（ｎｇ−ｎＦ）／（ｎＦ−ｎＣ）
【００５１】
条件式（１）は光学素子の材料の特性に関する条件式であって、下限を超えると通常ガラスと変わらない特性となってしまって、特に高倍率ズームにおける望遠域の２次色収差補正が不十分となる。逆に上限を超えると色収差に関して過剰補正となってしまうため好ましくない。
【００５２】
更に好ましくは条件式（１）の数値範囲を次の如く設定するのが良い。
０．７６＜θｇＦ−（−１．６６５×１０−７・νｎ３＋５．２１３×１０−５・νｎ２−５．６５６×１０−３・νｎ）＜１．０１１          ‥‥‥（１ａ）
【００５３】
条件式（２）は第１レンズ群Ｌ１内に配置される負レンズの色収差の補正力に関し、第１レンズ群Ｌ１の内部に光学素子を配置するにともなって、必要になる色収差補正の度合いを表している。
【００５４】
条件式（２）の下限を超えると第１レンズ群Ｌ１内において色収差の補正力が小さすぎてズーミング時の色収差の変動が大きくなる。
【００５５】
逆に上限を超えると色収差の補正力が大きすぎて補正過剰となるため好ましくない。
【００５６】
異常分散性を有する光学素子の材料としては、例えば特許文献４の中に記載しているＵＶ硬化樹脂などに類する高分散材料が適用できる。
【００５７】
更に望ましくは、条件式（２）の数値範囲を以下の条件式（２ａ）の範囲とすることで、さらに色にじみを少なくすることができる。
０．０２３＜｜ｆ１／（ｆ１ｎ・ν１ｎ）｜＜０．０４０・・・（２ａ）
【００５８】
条件式（３）はズームレンズにおける後群レンズ群ＬＲの変倍比を規定したものである。条件式（３）の下限を超えると物体側の第１、第２レンズ群Ｌ１、Ｌ２における変倍分担が多くなってきて第１レンズ群Ｌ１のレンズ構成に起因するズーミング時の収差変動が大きくなる。
【００５９】
逆に上限を超えると、後群の変倍分担が大きすぎてズーミングに伴う球面・コマ収差等の変動が大きくなってしまう。
【００６０】
更に望ましくは、条件式（３）の数値範囲を以下の条件式（３ａ）範囲とすることで、さらにズーミング時の収差変動を少なくすることができる。
３．２＜β３ｉｔ／β３ｉｗ＜４．５                    ‥‥‥（３ａ）
【００６１】
各実施例では以上の諸条件を満足することによって、第１レンズ群Ｌ１を少数のレンズ枚数で構成しつつ、ズーム比６〜１０を確保しつつ、レンズ系全体の小型化、特に収納沈胴時にコンパクトであるズームレンズを実現している。
【００６２】
更に高ズーム比化及び全系の小型化を図りつつ高い光学性能を得るには次の諸条件のうち１以上を満足するのがより好ましい。
【００６３】
それによれば各条件に相当する効果を得ることができる。
【００６４】
第１レンズ群Ｌ１中の光学素子の焦点距離をｆＮ、全系の広角端および望遠端における焦点距離をそれぞれｆｗ、ｆｔとする。
【００６５】
第１レンズ群Ｌ１を構成する正レンズの材料の屈折率をＮ１ｐとする。
【００６６】
後群ＬＲの広角端と望遠端における焦点距離を各々ｆ３ｉｗ、ｆ３ｉｔとする。
【００６７】
第１レンズ群Ｌ１の焦点距離をｆ１、第１レンズ群Ｌ１内の負レンズの焦点距離をｆ１ｎとする。
【００６８】
第１レンズ群Ｌ１内の負レンズの物体側の面の曲率半径をｒ１、像側の面の曲率半径をｒ２とする。
【００６９】
光学素子の光軸上の厚みをｔ、第１レンズ群Ｌ１の第１レンズ面から第１レンズ群の最終レンズ面までの長さをＬとする。
【００７０】
そして
【００７１】
【数１】
0005253051.tif 000002
【００７２】
とおく。このとき、
【００７３】
【数２】
0005253051.tif 000003
【００７４】
１．６５＜Ｎ１ｐ＜１．９０                      ‥‥‥（５）
【００７５】
【数３】
0005253051.tif 000004
‥‥‥（６）
【００７６】
０．５＜｜ｆ１／ｆ１ｎ｜＜１．０                  ‥‥‥（７）
−１＜（ｒ１＋ｒ２）／（ｒ１−ｒ２）＜７          ‥‥‥（８）
０．０１＜ｔ／Ｌ＜０．２０                      ‥‥‥（９）
なる条件のうち１以上を満足するのがより好ましい。
【００７７】
条件式（４）は、光学素子の焦点距離に関する。条件式（４）の下限を超えると光学素子の屈折力が弱すぎて、特に望遠領域において２次色収差を補正するのが難しくなる。逆に上限をこえると、２次色収差が補正過剰となってしまうため望ましくない。
【００７８】
更に望ましくは、条件式（４）の数値範囲を以下の条件式（４ａ）範囲とすることで、さらに色にじみ（２次色収差）を少なくすることができる。
【００７９】
【数４】
0005253051.tif 000005
【００８０】
条件式（５）は第１レンズ群Ｌ１内部に配置される正レンズの材料の屈折率を規定している。
【００８１】
条件式（５）の下限を超えると、主にペッツバール和、および第１レンズ群Ｌ１内部で発生する像面湾曲などが大きくなってくる。また上限を超えるような材料のガラスを使用すると、高分散となるため色収差の補正が困難となってしまう。
【００８２】
更に望ましくは、条件式（５）の数値範囲を以下の条件式（５ａ）範囲とすることで、さらに色にじみを少なくすることができる。
１．６５＜Ｎ１ｐ＜１．８５                          ‥‥‥（５ａ）
【００８３】
条件式（６）は後群ＬＲの平均焦点距離の比を規定したものである。条件式（６）の下限を超えると後群ＬＲの屈折力が弱くなりすぎて所望のズーム比を確保することが困難となる。
【００８４】
または物体側の第１、第２レンズ群Ｌ１、Ｌ２での変倍分担が大きくなってズーミング時の収差変動が大きくなるため好ましくない。
【００８５】
逆に上限を超えると屈折力が強すぎてしまい所望の長さのバックフォーカスを得るのが難しくなる。
【００８６】
更に望ましくは、条件式（６）の数値範囲を以下の条件式（６ａ）範囲とすることで、さらにズーミング時の収差変動を少なくすることができる。
【００８７】
【数５】
0005253051.tif 000006
【００８８】
条件式（７）は第１レンズ群Ｌ１内の負レンズの焦点距離比を表している。条件式（７）の上下限どちらを超えても第１レンズ群Ｌ１内において諸収差が補正過剰、又は補正不足となり、ズーミング時の収差変動が大きくなってしまう。
【００８９】
更に望ましくは条件式（７）の数値範囲を条件式（７ａ）の如く設定するのが良い。
０．５５＜｜ｆ１／ｆ１ｎ｜＜０．９５              ‥‥‥（７ａ）
【００９０】
条件式（８）は第１レンズ群Ｌ１内の負レンズのシェイプファクターを規定したものである。条件式（８）の下限を超えると広角端領域において像面湾曲がアンダー側へ増大するため好ましくない。
【００９１】
逆に上限を超えると負レンズでの諸収差の補正力が小さくなりズーミング時の収差変動が大きくなってしまう。
【００９２】
更に望ましくは、条件式（８）の数値範囲を以下の条件式（８ａ）範囲とすることで、さらに像面湾曲を良好に補正することができる。
−０．７＜（ｒ１＋ｒ２）／（ｒ１−ｒ２）＜５・・・（８ａ）
【００９３】
条件式（９）は、第１レンズ群Ｌ１中の光学素子の中心肉厚（光軸上の厚さ）と第１レンズ群Ｌ１のブロック厚み（第１レンズ群Ｌ１の第１レンズ面から第１レンズ群の最終レンズ面までの長さ）の比を規定したものである。
【００９４】
条件式（９）の下限をこえると、光学素子の厚みが薄すぎるために光学素子に屈折力を与えるのが難しくなり２次色収差の補正力が不足する。逆に上限を超えると、光学素子の厚みが大きすぎてレンズ群収納時沈胴長を短く設定することが難しくなる。
【００９５】
更に望ましくは、条件式（９）の数値範囲を以下の条件式（９ａ）範囲とすることで、さらに収納沈胴時のレンズ長を短くし、コンパクトなズームレンズが得られる。
０．０１＜ｔ／Ｌ＜０．１６・・・（９ａ）
【００９６】
次に各実施例のレンズ構成について説明する。
【００９７】
実施例１のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。
【００９８】
また広角端から望遠端へのズーミングに際し、第１レンズ群Ｌ１は像側に凸状の軌跡を描いて物体側へ移動する。
【００９９】
尚、第１レンズ群Ｌ１は単調に物体側へ移動しても良い。また第２レンズ群Ｌ２は像側に凸状の軌跡で移動する。第３レンズ群Ｌ３は物体側へ移動する。第４レンズ群Ｌ４は物体側に凸状の軌跡を描いて移動する。撮影距離（物体距離）が変化したときのフォーカシングは、第４レンズ群Ｌ４にて行なっている。
【０１００】
望遠端において無限遠物体から近距離物体へフォーカスを行う場合には同図矢印４ｃに示すように第４レンズ群Ｌ４を前方に繰り出すことによって行っている。
【０１０１】
第４レンズ群Ｌ４に関する実線の曲線４ａと点線の曲線４ｂは各々、無限遠物体と近距離物体にフォーカスしているときの広角端から望遠端へのズーミングに伴う際の像面変動を補正するための移動軌跡を示している。
【０１０２】
第１レンズ群Ｌ１は物体側から像側へ順に、負レンズと光学素子と正レンズをそれぞれ接合した接合レンズより構成している。
【０１０３】
これによりコンパクトな構成としている。正レンズには、正レンズで発生するコマ・像面湾曲などの収差を低減するために材料に屈折率Ｎｄ＝１．７７２（ｓ−ｌａｈ６６：オハラ製）の高屈折率材を使用している。
【０１０４】
高ズーム比で望遠域の焦点距離が長くなるズームレンズにおいて、第１レンズ群Ｌ１の正レンズに高屈折率材を使用すると特に望遠領域において２次色収差が増大してくる。
【０１０５】
そのため本実施例では第１レンズ群Ｌ１を構成する負レンズと正レンズの中間層に異常分散性を有する材料より成る光学素子を凸形状で作用させている。
【０１０６】
これにより、２次色収差を良好に補正している。なお、本実施例及び後述する各実施例で用いる光学素子としては条件式（１）の特性を満足すれば、材料はガラスであっても良いし、樹脂であっても良い。
【０１０７】
本実施例ではズーミング時における像面湾曲などの収差変動を抑制するためにも後群ＬＲでの変倍比を３．５６と大きく分担設定している。これによりズーム比１０といった高ズーム比のズームレンズを実現している。
【０１０８】
実施例２のズームレンズのズームタイプ及びフォーカスに関しては実施例１と同じである。
【０１０９】
第１レンズ群Ｌ１は物体側より像側へ順に光学素子・正レンズ・負レンズをそれぞれ接合した接合レンズより構成している。これによりコンパクトな構成としている。
【０１１０】
また、本実施例では光学素子の物体側の面を非球面形状とし、像面湾曲等の軸外収差の補正を良好に行っている。また正レンズで発生するコマ・像面湾曲などの収差を低減するために正レンズの材料に屈折率Ｎｄ＝１．６７８（ｓ−ｌａｌ１２：オハラ製）の高屈折率材を使用している。
【０１１１】
実施例３のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５から構成されている。
【０１１２】
また広角端から望遠端へのズーミングに際し、第１レンズ群Ｌ１は像側に凸状の軌跡を描いて物体側へ移動する。尚、第１レンズ群Ｌ１は単調に物体側へ移動しても良い。また第２レンズ群Ｌ２は像側に凸状の軌跡で移動する。第３、第４レンズ群Ｌ３、Ｌ４は物体側へ移動する。第５レンズ群Ｌ５は物体側に凸状の軌跡を描いて移動する。撮影距離が変化したときのフォーカシングは、第５レンズ群Ｌ５にて行なっている。
【０１１３】
望遠端において無限遠物体から近距離物体へフォーカスを行う場合には同図矢印５ｃに示すように第５レンズ群Ｌ５を物体側へ移動させることによって行っている。
【０１１４】
第５レンズ群Ｌ５の実線の曲線５ａと点線の曲線５ｂは各々無限遠物体と近距離物体にフォーカスしているときの広角端から望遠端への変倍に伴う際の像面変動を補正するための移動軌跡を示している。
【０１１５】
第１レンズ群Ｌ１は物体側から像側へ順に負レンズと光学素子と正レンズをそれぞれ接合した接合レンズより構成している。これによりコンパクトな構成としている。正レンズは、正レンズで発生するコマ・像面湾曲などの収差を低減するために材料に屈折率Ｎｄ＝１．７２９（ｓ−ｌａｌ１８：オハラ製）といった高屈折率材を使用している。これにより実施例１と同様の効果を得ている。
【０１１６】
実施例４のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５から構成されている。
【０１１７】
また広角端から望遠端へのズーミングに際し、第１レンズ群Ｌ１は像側に凸状の軌跡を描いて物体側へ移動する。
【０１１８】
尚、第１レンズ群Ｌ１は単調に物体側へ移動しても良い。また第２、第３レンズ群Ｌ２、Ｌ３は像側に凸状の軌跡で移動する。第４レンズ群Ｌ４は物体側へ移動する。第５レンズ群Ｌ５は物体側に凸状の軌跡を描いて移動する。
【０１１９】
撮影距離が変化したときのフォーカシングは、第５レンズ群Ｌ５にて行なっている。
【０１２０】
第５レンズ群Ｌ５のフォーカスに関する移動は実施例３と同様である。
【０１２１】
第１レンズ群Ｌ１は物体側から像側へ順に負レンズ、光学素子、正レンズをそれぞれ接合した接合レンズより構成している。これによりコンパクトな構成としている。正レンズは、正レンズで発生するコマ・像面湾曲などの収差を低減するために材料に屈折率Ｎｄ＝１．７７３（ｓ−ｌａｈ６６：オハラ製）といった高屈折率材を使用している。
【０１２２】
これにより実施例１と同様の効果を得ている。
【０１２３】
実施例５のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。
【０１２４】
また広角端から望遠端へのズーミングに際し、第１レンズ群Ｌ１は像側に凸状の軌跡を描いて物体側へ移動する。尚、第１レンズ群Ｌ１は単調に物体側へ移動しても良い。また第２レンズ群Ｌ２は像側に凸状の軌跡で移動する。
【０１２５】
第３および第４レンズ群Ｌ３、Ｌ４は物体側へ移動する。第５レンズ群Ｌ５は物体側に凸状の軌跡を描いて移動する。撮影距離が変化したときのフォーカシングは、第５レンズ群Ｌ５にて行なっている。
【０１２６】
第５レンズ群Ｌ５のフォーカスに関する移動は、実施例３と同様である。第１レンズ群Ｌ１は物体側から像側へ順に負レンズ、光学素子、正レンズをそれぞれ接合した接合レンズより構成している。これによりコンパクトな構成としている。正レンズは、正レンズで発生するコマ・像面湾曲などの収差を低減するために材料に屈折率Ｎｄ＝１．７７３（ｓ−ｌａｈ６６：オハラ製）といった高屈折率材を使用している。これにより実施例１と同様の効果を得ている。
【０１２７】
実施例６のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。
【０１２８】
また広角端から望遠端へのズーミングに際し、第１レンズ群Ｌ１は像側に凸状の軌跡を描いて物体側へ移動する。尚、第１レンズ群Ｌ１は単調に物体側へ移動しても良い。また第２レンズ群Ｌ２は像側に凸状の軌跡で移動する。
【０１２９】
第３レンズ群Ｌ３は物体側へ移動する。第４レンズ群Ｌ４は物体側に凸状の軌跡で移動する。撮影距離が変化したときのフォーカシングは、第４レンズ群Ｌ４にて行なっている。
【０１３０】
第４レンズ群Ｌ４のフォーカスに関する移動は、実施例１と同様である。
【０１３１】
第１レンズ群Ｌ１は物体側から像側へ順に負レンズ、正レンズ、光学素子をそれぞれ接合した接合レンズより構成している。これによりコンパクトな構成としている。また、本実施例では光学素子の空気に接する像面側の面を非球面形状とし、像面湾曲等の軸外収差の補正を良好に行っている。正レンズは、正レンズで発生するコマ・像面湾曲などの収差を低減するために材料に屈折率Ｎｄ＝１．７１３（ｓ−ｌａｌ８：オハラ製）といった高屈折率材を使用している。これにより実施例１と同様の効果を得ている。
【０１３２】
実施例７のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。
【０１３３】
また広角端から望遠端へのズーミングに際し、第１レンズ群Ｌ１は像側に凸状の軌跡を描いて物体側へ移動する。尚、第１レンズ群Ｌ１は単調に物体側へ移動しても良い。また第２レンズ群Ｌ２は像側に凸状の軌跡で移動する。
【０１３４】
第３レンズ群Ｌ３は物体側へ移動する。第４レンズ群Ｌ４は物体側に凸状の軌跡で移動する。撮影距離が変化したときのフォーカシングは、第４レンズ群Ｌ４にて行なっている。
【０１３５】
第４レンズ群Ｌ４のフォーカスに関する移動は、実施例１と同様である。
【０１３６】
第１レンズ群Ｌ１は物体側から像側へ順に光学素子、負レンズ、正レンズをそれぞれ接合した接合レンズより構成している。これによりコンパクトな構成としている。正レンズは、正レンズで発生するコマ・像面湾曲などの収差を低減するために材料に屈折率Ｎｄ＝１．７７２（ｓ−ｌａｈ６６：オハラ製）といった高屈折率材を使用している。これにより実施例１と同様の効果を得ている。
【０１３７】
実施例８のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。
【０１３８】
また広角端から望遠端へのズーミングに際し、第１レンズ群Ｌ１は像側に凸状の軌跡を描いて物体側へ移動する。尚、第１レンズ群Ｌ１は単調に物体側へ移動しても良い。また第２レンズ群Ｌ２は像側に凸状の軌跡で移動する。
【０１３９】
第３レンズ群Ｌ３は物体側へ移動する。第４レンズ群Ｌ４は物体側に凸状の軌跡で移動する。撮影距離が変化したときのフォーカシングは、第４レンズ群Ｌ４にて行なっている。
【０１４０】
第４レンズ群Ｌ４のフォーカスに関する移動は、実施例１と同様である。
【０１４１】
第１レンズ群Ｌ１は物体側から像側へ順に負レンズ、正レンズ、光学素子をそれぞれ接合した接合レンズより構成している。これによりコンパクトな構成としている。正レンズは、正レンズで発生するコマ・像面湾曲などの収差を低減するために材料に屈折率Ｎｄ＝１．７７２（ｓ−ｌａｈ６６：オハラ製）といった高屈折率材を使用している。これにより実施例１と同様の効果を得ている。
【０１４２】
各実施例においては、広角端から望遠端へのズーミングに際して全てのレンズ群を移動させている。これによりズーム比７〜１０の高ズーム比を得ている。
【０１４３】
光学素子の材料は樹脂によって成形すれば、製作が容易となる。尚、光学素子はガラス材で構成しても良い。
【０１４４】
光学素子の少なくとも１面は非球面形状とするのが良い。これによればコマ・像面湾曲などの諸収差の補正能力を高めることが容易となる。
【０１４５】
次に実施例１〜８に対応する数値実施例１〜８を示す。
【０１４６】
数値実施例において、ｉは物体側から数えた面の順序を示す。Ｒｉはレンズ面の曲率半径である。Ｄｉは第ｉ面と第ｉ＋１面との間のレンズ肉厚および空気間隔である。Ｎｉ、νｉはそれぞれｄ線に対する屈折率と、アッベ数を表す。θｇｆは部分分散比を表している。
【０１４７】
また、最も像側に配置される４つの面はガラスブロックＧＢは色合成プリズムなどに相当する。
【０１４８】
ｆは焦点距離、ＦＮＯはＦナンバー、ωは半画角である。
【０１４９】
また、ｋ、Ａ、Ｂ、Ｃ、Ｄ、Ｅは非球面係数である。
【０１５０】
非球面形状は光軸からの高さｈの位置での光軸方向の変位を、面頂点を基準にしてｘとするとき以下の式で定義される。
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
但し、ここでＲは曲率半径である。
【０１５１】
又、前述の各条件式と数値実施例における諸数値との関係を表−１に示す。
【０１５２】
数値実施例１
f:  4.8〜46.0mm  FNO: 2.85〜5.87      ω:37.21〜4.52°
R           D      N       ν    θgf
1    24.037      1.20   1.847   23.8
2    14.388      0.80   1.633   23.0    0.6747
3    15.748      4.60   1.772   49.6
4   151.929  ( 可変 )
5    52.003      0.95   1.883   40.8
6     6.627      3.28
7  ( 非球面 )    1.35   1.860   40.3
8    12.158      0.99
9    12.279      1.91   1.923   18.9
10    49.360  ( 可変 )
11  ( 非球面 )    1.50   1.678   55.3
12   -80.221      0.10
13     4.838      2.19   1.487   70.2
14    12.070      0.60   2.003   28.3
15     4.221      0.40
16    16.466      1.18   1.487   70.2
17   -34.172  ( 可変 )
18  ( 非球面 )    2.00   1.487   70.2
19    36.606  ( 可変 )
20    inf.        0.60   1.516   64.1
21    inf.        0.90
22    inf.        0.40   1.516   64.1
23    inf.
間隔データ
W         T
d 4       0.40     17.57
d10      21.91      2.41
d17       4.96     22.39
d19       1.98      1.26
非球面データ
7    1/r=-5.191e-003    k=-6.325e+002   A= 1.424e-005   B= 2.903e-006
C=-8.749e-008    D= 1.624e-009   E= 0.000e+000
11    1/r=1.068e-001     k=1.608e+000    A=-3.950e-004   B=-6.682e-006
C=-1.364e-007    D= 0.000e+000   E= 0.000e+000
18    1/r= 9.179e-002    k=-5.182e-002   A=-1.210e-005   B= 1.989e-006
C=-8.621e-008    D=3.989e-009    E= 0.000e+000
【０１５３】
数値実施例２
f:  4.7〜31.6mm  FNO: 2.88〜5.67      ω:37.17〜6.44°
R           D      N       ν    θgf
1  ( 非球面 )    0.50   1.633   23.0    0.6747
2    26.434      4.67   1.678   55.3
3   -79.835      1.00   1.847   23.8
4   332.271  ( 可変 )
5    44.219      1.00   1.772   49.6
6     6.788      2.87
7  ( 非球面 )    1.40   1.860   40.3
8     9.980      1.38
9    11.273      1.81   1.923   18.9
10    30.555  ( 可変 )
11  ( 非球面 )    1.50   1.589   61.1
12   -24.353      0.10
13     4.734      1.90   1.589   61.1
14    13.243      0.60   2.003   28.3
15     4.119      0.71
16   -65.346      1.15   1.487   70.2
17   -13.219  ( 可変 )
18    11.706      2.36   1.516   64.1
19  -718.292  ( 可変 )
20    inf.        0.60   1.516   64.1
21    inf.        0.90
22    inf.        0.40   1.516   64.1
23    inf.
間隔データ
W         T
d 4       0.48     12.66
d10      19.50      2.41
d17       4.44     24.55
d19       1.90      3.23
非球面データ
1   1/r= 4.027e-002    k= 9.435e-002    A= 1.108e-006   B=-3.584e-009
C= 1.443e-011    D= 0.000e+000    E= 0.000e+000
7   1/r=-5.116e-004    k=-4.516e+003    A= 3.298e-005   B=-1.249e-007
C= 3.967e-009    D= 0.000e+000    E= 0.000e+000
11   1/r= 1.046e-001    k= 1.233e+000    A=-4.468e-004   B=-3.690e-006
C=-1.436e-007    D= 0.000e+000    E= 0.000e+000
【０１５４】
数値実施例３
f:  4.8〜46.1mm  FNO: 2.85〜5.88      ω:37.19〜4.52°
R           D      N       ν    θgf
1    23.426      1.20   1.847   23.8
2    14.630      0.93   1.633   23.0    0.6747
3    16.434      4.58   1.729   54.7
4   181.281  ( 可変 )
5    60.813      0.95   1.883   40.8
6     6.939      3.26
7  ( 非球面 )    1.35   1.860   40.3
8    11.669      1.04
9    12.302      1.98   1.923   18.9
10    49.156  ( 可変 )
11  ( 非球面 )    1.50   1.678   55.3
12   -72.650      0.10
13     4.691      2.22   1.487   70.2
14    11.750      0.60   2.003   28.3
15     4.040  ( 可変 )
16    13.552      1.18   1.487   70.2
17   -78.895  ( 可変 )
18  ( 非球面 )    2.00   1.487   70.2
19    34.837  ( 可変 )
20    inf.        0.60   1.516   64.1
21    inf.        0.90
22    inf.        0.40   1.516   64.1
23    inf.
間隔データ
W         T
d 4       0.40     18.18
d10      22.89      2.41
d15       0.63      0.50
d17       4.61     21.45
d19       1.86      1.22
非球面データ
7    1/r=-6.137e-005    k= 7.235e+006    A= 3.255e-005    B= 2.423e-006
C=-5.992e-008    D= 1.122e-009    E= 0.000e+000
11    1/r= 1.074e-001    k= 1.606e+000    A=-3.974e-004    B=-6.626e-006
C=-1.609e-007    D= 0.000e+000    E= 0.000e+000
18    1/r= 9.410e-002    k=-2.296e-001    A=-5.365e-005    B= 9.557e-006
C=-5.699e-007    D= 1.562e-008    E= 0.000e+000
【０１５５】
数値実施例４
f:  4.8〜46.0mm  FNO: 2.85〜5.88      ω:37.20〜4.52°
R           D      N       ν    θgf
1    24.802      1.20   1.847   23.8
2    14.899      0.80   1.633   23.0    0.6747
3    16.223      4.86   1.772   49.6
4   157.596  ( 可変 )
5    58.913      0.95   1.883   40.8
6     7.032  ( 可変 )
7  ( 非球面 )    1.35   1.860   40.3
8    12.927      1.07
9    13.219      1.98   1.923   18.9
10    57.024  ( 可変 )
11  ( 非球面 )    1.50   1.678   55.3
12   -88.003      0.10
13     4.726      2.14   1.487   70.2
14    11.138      0.60   2.003   28.3
15     4.070      0.39
16    13.841      1.16   1.487   70.2
17  -118.206  ( 可変 )
18  ( 非球面 )    1.99   1.487   70.2
19    35.723  ( 可変 )
20    inf.        0.60   1.516   64.1
21    inf.        0.90
22    inf.        0.40   1.516   64.1
23    inf.
間隔データ
W         T
d 4       0.40     17.71
d 6       3.69      3.30
d10      23.95      2.41
d17       5.17     21.91
d19       2.57      2.07
非球面データ
7    1/r=-4.461e-003   k=-9.100e+001  A= 2.848e-005    B= 2.065e-006
C=-5.264e-008   D= 9.579e-010  E= 0.000e+000
11    1/r= 1.086e-001   k= 1.595e+000  A=-4.020e-004    B=-6.543e-006
C=-1.853e-007   D= 0.000e+000  E= 0.000e+000
18    1/r= 9.257e-002   k=-1.937e-001  A=-5.763e-005    B= 9.487e-006
C=-5.879e-007   D= 1.644e-008  E= 0.000e+000
【０１５６】
数値実施例５
f:  4.8〜46.0mm  FNO: 2.85〜5.88      ω:37.24〜4.53°
R           D      N       ν    θgf
1    24.978      1.20   1.847   23.8
2    14.735      0.80   1.633   23.0    0.6747
3    16.100      4.51   1.772   49.6
4   192.890  ( 可変 )
5    58.245      0.95   1.883   40.8
6     6.741      3.23
7  ( 非球面 )    1.35   1.860   40.3
8    12.220      0.95
9    12.397      1.93   1.923   18.9
10    52.971  ( 可変 )
11  ( 非球面 )    1.50   1.678   55.3
12   -79.965  ( 可変 )
13     4.796      2.20   1.487   70.2
14    12.144      0.60   2.003   28.3
15     4.165      0.39
16    14.735      1.29   1.487   70.2
17   -41.494  ( 可変 )
18  ( 非球面 )    2.00   1.487   70.2
19    52.914  ( 可変 )
20    inf.        0.60   1.516   64.1
21    inf.        0.90
22    inf.        0.40   1.516   64.1
23    inf.
間隔データ
W         T
d 4       0.40     17.83
d10      22.17      2.41
d12       0.10      0.39
d17       4.89     21.89
d19       1.95      1.25
非球面データ
7    1/r=-4.898e-003  k=-7.832e+002   A= 1.098e-005  B= 2.728e-006
C=-6.939e-008  D= 1.186e-009   E= 0.000e+000
11    1/r= 1.069e-001  k= 1.620e+000   A=-3.913e-004  B=-6.672e-006
C=-1.528e-007  D= 0.000e+000   E= 0.000e+000
18    1/r= 8.492e-002  k=-1.858e-002   A=-1.255e-005  B= 3.766e-006
C=-1.908e-007  D= 6.398e-009   E= 0.000e+000
【０１５７】
数値実施例６
f:  4.7mm〜45.1mm  FNO: 2.75〜5.92      ω：37.2°〜4.5°
R           D      N      V      θｇｆ
1    25.823      1.20   1.847   23.8
2    16.500      4.77   1.713   53.9
3   121.729      0.60   1.633   23.0    0.6747
4  ( 非球面 )( 可変 )
5    67.319      0.95   1.883   40.8
6     6.993      3.29
7  ( 非球面 )    1.35   1.860   40.3
8    13.376      1.04
9    12.936      1.91   1.923   18.9
10    50.306  ( 可変 )
11  ( 非球面 )    1.50   1.678   55.3
12   -84.268      0.10
13     4.735      2.18   1.487   70.2
14    11.608      0.60   2.003   28.3
15     4.083      0.41
16    13.373      1.20   1.487   70.2
17   -51.368  ( 可変 )
18  ( 非球面 )    2.01   1.487   70.2
19    43.167  ( 可変 )
20    inf.        0.60   1.516   64.1
21    inf.        0.90
22    inf.        0.40   1.516   64.1
23    inf.
間隔データ
W         T
d 4       0.40     17.54
d10      22.47      1.76
d17       5.13     22.97
d19       1.89      1.75
非球面データ
1/R         k          A          B          C          D          E
4     9.721e-004 0.000e+000 9.977e-007 1.448e-008-1.943e-010 9.803e-013 0.000e+000
7    -5.858e-003-1.645e+002 1.065e-005 1.607e-006-4.167e-008 6.044e-010 0.000e+000
11     1.086e-001 1.509e+000-3.952e-004-6.111e-006-1.777e-007 0.000e+000 0.000e+000
18     8.852e-002 1.066e-002-4.872e-005 1.019e-005-6.476e-007 1.703e-008 0.000e+000
【０１５８】
数値実施例７
f:  4.8mm〜46.0mm  FNO: 2.82〜6.32      ω:36.6°〜4.4°
R           D      N      V     θｇｆ
1    26.092      0.55   1.633   23.0   0.6747
2    29.353      1.05   1.847   23.8
3    16.934      4.34   1.772   49.6
4   193.683  ( 可変 )
5    35.684      0.75   1.883   40.8
6     6.194      3.61
7   -27.141      1.35   1.860   40.3
8  ( 非球面 )    0.40
9    14.076      1.82   1.923   18.9
10    99.002  ( 可変 )
11  ( 非球面 )    1.58   1.589   61.1
12   -24.072      0.10
13     4.387      2.37   1.487   70.2
14    10.388      0.50   2.003   28.3
15     3.723      0.37
16     8.455      1.17   1.548   45.8
17    27.932  ( 可変 )
18  ( 非球面 )    1.54   1.487   70.2
19    30.000  ( 可変 )
20    inf.        0.60   1.516   64.1
21    inf.        0.90
22    inf.        0.40   1.516   64.1
23    inf.
間隔データ
W         T
d 4       0.40     17.15
d10      19.65      1.16
d17       4.69     22.91
d19       2.32      2.53
非球面データ
1/R         k          A          B          C          D          E
8     4.297e-002 2.161e+000 7.047e-006-1.382e-006 4.178e-008-2.774e-010 0.000e+000
11     1.056e-001 1.397e+000-4.350e-004-5.678e-006-1.642e-007 0.000e+000 0.000e+000
18     1.010e-001-2.266e-001 3.581e-006 4.590e-007 1.604e-007-4.036e-009 0.000e+000
【０１５９】
数値実施例８
f:  4.8mm〜46.0mm  FNO: 2.82〜6.17      ω:36.6°〜4.4°
R           D      N      V     θｇｆ
1    26.217      1.05   1.847   23.8
2    14.996      4.62   1.772   49.6
3    92.085      0.40   1.765   15.0   0.7480
4   174.052  ( 可変 )
5    36.382      0.75   1.883   40.8
6     6.154      3.51
7   -32.157      1.35   1.860   40.3
8  ( 非球面 )    0.51
9    13.633      1.80   1.923   18.9
10    77.454  ( 可変 )
11  ( 非球面 )    1.53   1.589   61.1
12   -31.078      0.10
13     4.546      2.37   1.487   70.2
14    11.137      0.50   2.003   28.3
15     3.903      0.36
16     9.783      1.20   1.541   47.2
17   152.186  ( 可変 )
18  ( 非球面 )    1.46   1.487   70.2
19    30.000  ( 可変 )
20    inf.        0.60   1.516   64.1
21    inf.        0.90
22    inf.        0.40   1.516   64.1
23    inf.
間隔データ
W         T
d 4       0.40     18.24
d10      19.46      1.16
d17       4.69     21.65
d19       2.07      2.06
非球面データ
1/R         k          A          B          C          D          E
8     4.894e-002 1.133e+000 9.666e-006-2.785e-006 1.045e-007-1.477e-009 0.000e+000
11     1.099e-001 1.403e+000-4.398e-004-7.414e-006-1.589e-007 0.000e+000 0.000e+000
18     9.552e-002-1.116e-001-1.526e-005 1.854e-007 2.328e-007-8.173e-009 0.000e+000
【０１６０】
【表１】
0005253051.tif 000007
【０１６１】
次に各実施例に示したようなズームレンズを撮影光学系として用いたデジタルスチルカメラの実施形態を図１６を用いて説明する。
【０１６２】
図２５において、２０はカメラ本体である。２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【０１６３】
２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【０１６４】
このように本発明のズームレンズをデジタルスチルカメラ等の撮像装置に適用することにより、小型で高い光学性能を有する撮像装置が実現できる。
【図面の簡単な説明】
【０１６５】
【図１】本発明の実施例１のレンズ断面図
【図２】本発明の実施例１の広角端における収差図
【図３】本発明の実施例１の望遠端における収差図
【図４】本発明の実施例２のレンズ断面図
【図５】本発明の実施例２の広角端における収差図
【図６】本発明の実施例２の望遠端における収差図
【図７】本発明の実施例３の広角端における収差図
【図８】本発明の実施例３のレンズ断面図
【図９】本発明の実施例３の望遠端における収差図
【図１０】本発明の実施例４のレンズ断面図
【図１１】本発明の実施例４の広角端における収差図
【図１２】本発明の実施例４の望遠端における収差図
【図１３】本発明の実施例５のレンズ断面図
【図１４】本発明の実施例５の広角端における収差図
【図１５】本発明の実施例５の望遠端における収差図
【図１６】本発明の実施形態６のレンズ断面図
【図１７】本発明の実施形態６の広角端における収差図
【図１８】本発明の実施形態６の望遠端における収差図
【図１９】本発明の実施形態７のレンズ断面図
【図２０】本発明の実施形態７の広角端における収差図
【図２１】本発明の実施形態７の望遠端における収差図
【図２２】本発明の実施形態８のレンズ断面図
【図２３】本発明の実施形態８の広角端における収差図
【図２４】本発明の実施形態８の望遠端における収差図
【図２５】本発明の撮像装置の要部概略図
【符号の説明】
【０１６６】
Ｌ１  第１レンズ群
Ｌ２  第２レンズ群
Ｌ３  第３レンズ群
Ｌ４  第４レンズ群
Ｌ５  第５レンズ群
ＬＲ  後群
ＩＰ  像面
ＳＰ  開口絞り
ＧＢ  硝子ブロック
ΔＳ  サジタル像面
ΔＭ  メリディオナル像面
ｄ  ｄ線
ｇ  ｇ線
【図１】
0005253051.tif 000011
【図２】
0005253051.tif 000012
【図３】
0005253051.tif 000013
【図４】
0005253051.tif 000014
【図５】
0005253051.tif 000015
【図６】
0005253051.tif 000016
【図７】
0005253051.tif 000017
【図８】
0005253051.tif 000018
【図９】
0005253051.tif 000019
【図１０】
0005253051.tif 000020
【図１１】
0005253051.tif 000021
【図１２】
0005253051.tif 000022
【図１３】
0005253051.tif 000023
【図１４】
0005253051.tif 000024
【図１５】
0005253051.tif 000025
【図１６】
0005253051.tif 000026
【図１７】
0005253051.tif 000027
【図１８】
0005253051.tif 000028
【図１９】
0005253051.tif 000029
【図２０】
0005253051.tif 000030
【図２１】
0005253051.tif 000031
【図２２】
0005253051.tif 000032
【図２３】
0005253051.tif 000033
【図２４】
0005253051.tif 000034
【図２５】
0005253051.tif 000035